(57)【要約】【課題】機器本体の使用温度状況が頻繁に変更され、消費電力が頻繁に変化した場合であっても、バッテリの温度及び電力依存性を含めた状態でバッテリ残量情報を表示できるようにする。【解決手段】計算回路２３は、ビデオカメラ１本体のバッテリセル５１の残量を算出するとともに、ビデオカメラ１の各動作モードに対応したそれぞれの消費電力情報と、バッテリセル５１の温度補正係数に基づいて、現在のバッテリセル５１の使用可能時間を各動作モード毎に算出し、液晶表示パネル１６は、バッテリセル５１の残量、及び各動作モードにそれぞれ対応した使用可能時間を表示する。本開示の技術は、例えばバッテリパックの残量を表示可能な電子機器に適用できる。【選択図】図２
2011133488.tif 000002
【特許請求の範囲】
【請求項１】
バッテリから供給される電力を用いて所定の動作を行う動作部と、
前記バッテリと、
前記バッテリの残量を算出するバッテリ残量算出部と、
前記バッテリの使用可能時間を算出するバッテリ使用可能時間算出部と、
前記バッテリの残量及び前記バッテリの使用可能時間を表示する表示部と、
前記バッテリの残量及び前記バッテリの使用可能時間を前記表示部に表示させる際に操作される操作部と、
前記所定の動作を行う際に前記表示部が使用される第１の動作モードに対応した第１の消費電力情報、及び前記所定の動作を行う際に前記表示部が使用されない第２の動作モードに対応した第２の消費電力情報が予め記憶される第１の記憶部と、
前記バッテリの温度に応じて前記バッテリの使用可能時間を補正する温度補正係数が記憶される第２の記憶部と
を備え、
前記バッテリ使用可能時間算出部は、
前記第１の消費電力情報及び前記温度補正係数に基づいて、前記第１の動作モードに対応した前記バッテリの使用可能時間を算出し、
前記第２の消費電力情報及び前記温度補正係数に基づいて、前記第２の動作モードに対応した前記バッテリの使用可能時間を算出し、
前記表示部には、
前記バッテリが充電中である場合に、前記第１の動作モード又は前記第２の動作モードにそれぞれ対応した前記バッテリの使用可能時間、及び前記バッテリの残量が表示され、
前記動作部が動作中又は待機中の一方である場合、前記操作部が操作されたことに対応して、前記第１の動作モード又は前記第２の動作モードにそれぞれ対応した前記バッテリの使用可能時間、及び前記バッテリの残量が表示される
電子機器。
【請求項２】
前記電子機器は、ビデオカメラ装置であり、
前記動作部は、前記バッテリから供給される電力を用いて被写体の撮像を行い、
前記第１の記憶部は、前記被写体の撮像を行う際に前記表示部が使用される前記第１の動作モードに対応した前記第１の消費電力情報、及び前記被写体の撮像を行う際に前記表示部が使用されない前記第２の動作モードに対応した前記第２の消費電力情報を予め記憶している
請求項１に記載の電子機器。
【発明の詳細な説明】
【技術分野】
【０００１】
本開示は、携帯型ビデオカメラ装置、携帯型電話機、携帯型情報端末装置およびネットワークによる通信機能を備えたこれらの電子機器であって、その電源として用いられるバッテリパックの残量を表示することができる電子機器に関する。
【０００２】
詳しくは、バッテリの使用可能時間を算出するバッテリ使用可能時間算出手段を備え、当該電子機器の各動作モードに対応した消費電力情報及び温度補正係数に基づいて現在のバッテリ容量でのバッテリ使用可能時間をそれぞれ算出し、ここに算出した各動作モードに対応したバッテリ使用可能時間とバッテリ残量とを表示部に表示するようにして、機器本体の使用状況が頻繁に変更され、消費電力が頻繁に変化した場合であっても、バッテリの温度及び電力依存性を含めた状態でバッテリ残量情報を表示できるようにしたものである。
【背景技術】
【０００３】
電子機器として周知の携帯型のビデオカメラ装置は、被写体を撮像し記録する機器本体と、この機器本体に対して電源を供給する着脱自在なバッテリパックで構成される。機器本体は、被写体を撮像する撮像部を始めとして、撮像部で撮像された情報信号をテープカセット等の記録媒体に記録する記録部や、撮像部が撮像している被写体を表示する表示部などを備えている。
【０００４】
表示部には、電子的なビューファインダ（ＥＶＦ）の他に、最近ではその利便性を考慮して液晶パネルなどを使用した表示パネルが設けられている場合が多い。撮影者は、ビューファインダを介して被写体を見ることができると共に、撮影者および撮影者以外の者は、被写体が何であるかをこの液晶表示パネルに表示された画像内容によって知ることができる。
【０００５】
ところで、この種のビデオカメラ装置には、携帯使用時に、利用者に後何時間撮影を行うことができるのかを知らせるために、バッテリ残量を表示部に表示させる装置がある。特許文献１や、特許文献２などに記載されているビデオカメラは、表示部として、ビューファインダと液晶表示パネルとを有し、ビューファインダのみを用いて撮像しているときや、液晶表示パネルのみを用いて撮影しているときのように、ビデオカメラ装置の使用状態（以下表示モードの使用状態という）を検出し、その表示モードに応じて現在の消費電力を算出し、バッテリの残容量から使用可能時間（予測値）などを表示部（ビューファインダ若しくは液晶表示パネル）に表示するようにしている。
【０００６】
使用可能時間を知ることによって、撮影者はあと何時間、現在の表示モードで撮影できるかを容易に把握できるから、バッテリを充電しなければならなかったり、バッテリを交換したりという爾後策を採ることができ、撮影の途中でバッテリが切れてしまうような事故を未然に回避できる。
【先行技術文献】
【特許文献】
【０００７】
【特許文献１】特開平    ９−２９７１６６号公報
【特許文献２】特開２０００−３５０３７１号公報
【発明の概要】
【発明が解決しようとする課題】
【０００８】
ところで、上述した表示部に表示される使用可能時間は、あくまでも現在使用している表示モードでの使用可能時間である。例えばビューファインダだけを用いて撮影しているとき、そのビューファインダに表示される使用可能時間は、これからもビューファインダを使用しながら撮影するとしたときの残りの使用可能時間であるから、例えばビューファインダから液晶表示パネルに切り替えたときに、どれだけの時間、バッテリを使用できるかを知ることはできない。
【０００９】
実際には、ビューファインダのみを使用する第１の表示モードの他に、液晶表示パネルのみを使用する第２の表示モードや、ビューファインダと液晶表示パネルを同時に使用する第３の表示モードもあれば、ネットワーク対応機種で、撮影した画像をインターネットなどのネットワークを介して転送できるようなネットワーク転送機能を備えたものでは、ネットワークを介した転送処理が液晶表示パネルを使用して行われる第４の表示モードも存在することになる。
【００１０】
そして、これらの表示モードにおける消費電力はそれぞれ相違するので、これからどの表示モードでビデオカメラ装置を使用するかによって、バッテリの使用可能時間が大幅に相違することが考えられる。
【００１１】
従来では、現在の表示モードにおける使用可能時間のみを表示するようにしているので、例えば第１の表示モードから第２の表示モードに切り替えて使用する場合、一旦第２の表示モードに切り替えることで、使用可能時間を改めて算出し直す処理を行い、その後第２の表示モードでの使用可能時間を表示するようにしている。そのため、表示モードの切り替え処理の他に、使用可能時間を表示するまでに時間がかかるという不便さがある。一目で全ての表示モードでの使用可能時間を知ることができれば非常に便利である。
【００１２】
さらに、従来のこの種ビデオカメラ装置においては、バッテリの充電中は表示停止状態となっているので、バッテリの充電状態は把握し得るものの、それぞれの表示モードでの使用可能時間を即座に知る術がない。もちろん、充電中にバッテリ使用可能時間を表示できるようにする場合でも、バッテリの充電中では、これからビューファインダだけで撮影するのか、液晶表示パネルを用いて撮影するのかは、予め知ることができない。したがって、優先的にどの表示モードでの使用可能時間を表示すべきかはデフォルト値によって決まってしまう。
【００１３】
バッテリの充電中であっても、それぞれの表示モードにおける使用可能時間が判れば、特定の表示モードでの使用に限定するときには十分な充電容量となっていることも考えられる。つまり、バッテリが満充電にならないでも、その途中で充電を止めることができる。これによって撮影者は充電時間の短縮を図れ、不必要な待機時間を浪費しないで済むことになるからである。
【００１４】
そこで、本開示の技術はこのような従来の課題を解決したものであって、機器本体の使用状況が頻繁に変更され、消費電力が頻繁に変化した場合であっても、バッテリの温度及び電力依存性を含めた状態でバッテリ残量情報を表示できるようにした電子機器を提供することを目的とする。
【課題を解決するための手段】
【００１５】
本開示の一側面の電子機器は、バッテリから供給される電力を用いて所定の動作を行う動作部と、前記バッテリと、前記バッテリの残量を算出するバッテリ残量算出部と、前記バッテリの使用可能時間を算出するバッテリ使用可能時間算出部と、前記バッテリの残量及び前記バッテリの使用可能時間を表示する表示部と、前記バッテリの残量及び前記バッテリの使用可能時間を前記表示部に表示させる際に操作される操作部と、前記所定の動作を行う際に前記表示部が使用される第１の動作モードに対応した第１の消費電力情報、及び前記所定の動作を行う際に前記表示部が使用されない第２の動作モードに対応した第２の消費電力情報が予め記憶される第１の記憶部と、前記バッテリの温度に応じて前記バッテリの使用可能時間を補正する温度補正係数が記憶される第２の記憶部とを備え、前記バッテリ使用可能時間算出部は、前記第１の消費電力情報及び前記温度補正係数に基づいて、前記第１の動作モードに対応した前記バッテリの使用可能時間を算出し、前記第２の消費電力情報及び前記温度補正係数に基づいて、前記第２の動作モードに対応した前記バッテリの使用可能時間を算出し、前記表示部には、前記バッテリが充電中である場合に、前記第１の動作モード又は前記第２の動作モードにそれぞれ対応した前記バッテリの使用可能時間、及び前記バッテリの残量が表示され、前記動作部が動作中又は待機中の一方である場合、前記操作部が操作されたことに対応して、前記第１の動作モード又は前記第２の動作モードにそれぞれ対応した前記バッテリの使用可能時間、及び前記バッテリの残量が表示される電子機器である。
【００１６】
前記電子機器は、ビデオカメラ装置であり、前記動作部では、前記バッテリから供給される電力を用いて被写体の撮像を行い、前記第１の記憶部では、前記被写体の撮像を行う際に前記表示部が使用される前記第１の動作モードに対応した前記第１の消費電力情報、及び前記被写体の撮像を行う際に前記表示部が使用されない前記第２の動作モードに対応した前記第２の消費電力情報を予め記憶するようにすることができる。
【００１７】
本開示の一側面によれば、前記第１の消費電力情報及び前記温度補正係数に基づいて、前記第１の動作モードに対応した前記バッテリの使用可能時間が算出され、前記第２の消費電力情報及び前記温度補正係数に基づいて、前記第２の動作モードに対応した前記バッテリの使用可能時間が算出され、前記表示部には、前記バッテリが充電中である場合に、前記第１の動作モード又は前記第２の動作モードにそれぞれ対応した前記バッテリの使用可能時間、及び前記バッテリの残量が表示され、前記動作部が動作中又は待機中の一方である場合、前記操作部が操作されたことに対応して、前記第１の動作モード又は前記第２の動作モードにそれぞれ対応した前記バッテリの使用可能時間、及び前記バッテリの残量が表示される。
【発明の効果】
【００１８】
本開示によれば、機器本体の使用状況が頻繁に変更され、消費電力が頻繁に変化した場合であっても、バッテリの温度及び電力依存性を含めた状態でバッテリ残量情報を表示できるようになる。
【図面の簡単な説明】
【００１９】
【図１】ビデオカメラ装置を背面側から見た外観例を示す斜視図である。
【図２】本開示の技術が適用されたビデオカメラ装置の制御系の構成例を示すブロック図である。
【図３】バッテリの放電電流積算量と時間との関係例を示す図である。
【図４】ビューファインダのみを用いる第１の表示モードのときのバッテリの放電電流積算残量と時間との関係例を示す図である。
【図５】液晶表示パネルのみを用いる第２の表示モードのときのバッテリの放電電流積算残量と時間との関係例を示す図である。
【図６】ビューファインダと液晶表示パネルの両方を用いる第３の表示モードのときのバッテリの放電電流積算残量と時間との関係例を示す図である。
【図７】液晶表示パネルを使用して通信を行う第４の表示モードのときのバッテリの放電電流積算残量と時間との関係例を示す図である。
【図８】ビューファインダ及び液晶表示パネルに表示される全ての表示モードでのバッテリ残量情報を示す図である。
【図９】バッテリ残量情報を算出する手順を示すフローチャートである。
【発明を実施するための形態】
【００２０】
続いて、本開示の電子機器を携帯用ビデオカメラ装置に適用した場合について、その実施の形態を図面を参照して説明する。
【００２１】
このビデオカメラ装置１は、図１に示すように、被写体を撮像する機器本体１０と、機器本体１０に対して電源を供給するバッテリパック５０とを備える。機器本体１０は、携帯可能な大きさで、図示する例ではほぼ矩形状に形成されている。機器本体１０には、その前面部に被写体を撮像する例えばＣＣＤ素子を用いた光学系を含めた撮像部１１が設けられる。撮像部１１が設けられた前面部と対向する背面部には、第１の表示部として機能するビューファインダ例えば電子的なビューファインダ（ＥＶＦ）１３が配設されている。ビューファインダ１３は、撮影者が接眼することで表示状態となるように押圧スイッチ（接眼センサ）１３ａが設けられ、接眼時だけ撮影中の被写体などが映し出されたり、バッテリの残量表示、つまりバッテリの残りの使用可能時間や、ファンクションモードなどが重ねて表示される。
【００２２】
機器本体１０の一方の側面部（図では右側面部）には、記録媒体となる磁気テープを用いるテープカセットやディスク状記録媒体を記録媒体に用いるディスクカートリッジが装填される記録媒体収納部（図示はしない）が設けられ、機器本体１０の他方の側面部（左側面部）の底面側には、バッテリ装着部１５が設けられ、ここに機器本体１０の電源となるバッテリパックが着脱自在に装着される。
【００２３】
バッテリ装着部１５には、図２にも示すようにバッテリパック５０より電源を供給するためのバッテリ端子１８ａ、１８ｂと、バッテリパック５０と送受信を行うための通信端子１９が設けられている。
【００２４】
機器本体１０の他方の側面部の上面側には、ビューファインダ１３とともに撮影中の被写体が表示される第２の表示部として機能する液晶パネルなどを用いた表示パネル１６が設けられている。液晶表示パネル１６はヒンジ部１７によって開閉および回動自在に機器本体１０に取り付けられる。液晶表示パネル１６は図１に示す開状態がパネル使用状態となり、このパネル使用状態は機器本体１０側に設けられた液晶表示パネル用の検出スイッ チ１７ａによって検出される。
【００２５】
バッテリ装着部１５に装着されるバッテリパック５０は、リチウムイオン電池等の充電型のバッテリセルが内部に配設され、また、このバッテリパック５０には図２にも示すように、機器本体１０に電源を供給するための供給端子５６ａ、５６ｂと、機器本体１０との送受信を行うための通信端子５７とが設けられている。バッテリパック５０は、許容負荷電力の異なる数種類のバッテリパックをセットできるようになっている。ただし、そのときの出力電圧はどのバッテリパックでも同じ値である。
【００２６】
図２は本開示のビデオカメラ装置１の回路ブロックの実施の形態を示す。機器本体１０では、バッテリパック５０が装着されると、バッテリ装着部１５に設けられた通信端子１９を介してバッファアンプ１９ｂで増幅されたバッテリ情報要求信号Ｓoutを送信し、バッテリパック５０側では、バッファアンプ５７ｂを介してバッテリパック５０に関する情報（バッテリ情報）Ｓoutを機器本体１０に送信する。
【００２７】
機器本体１０を構成するマイコン２１は、バッテリパック５０からのバッテリセルに関する情報を受信する通信回路（通信手段）２２と、この通信回路２２で受信したバッテリパック５０に関する情報に基づいてバッテリパック５０の残量情報を生成する計算回路２３と、この計算回路２３で生成された残量情報に基づいて表示信号を生成する表示制御回路（表示制御手段）２４などを備える。計算回路２３はバッテリ残量算出手段の一例を構成する。
【００２８】
上述したバッテリ情報は、バッファアンプ１９ａ、通信回路２２を介して、計算回路２３に供給される。計算回路２３には、バッテリ情報を構成するバッテリパック５０の放電電流に放電時間を乗じた放電電流積算量と、必要に応じてバッテリパック５０内に配設されたバッテリセル５１の温度を示す温度情報が供給される。
【００２９】
計算回路２３に設けられた第１の記憶手段（図示はしない）は、予めビューファインダ１３を用いた第１の表示モードでの第１の消費電力情報ｗ１と、液晶表示パネル１６を使用した第２の表示モードでの第２の消費電力情報ｗ２、ビューファインダ１３と液晶表示パネル１６とを同時に使用する第３の消費電力情報ｗ３、さらには通信回線を使用した情報の授受を液晶表示パネル１６を用いて行う第４の表示モードでの第４の消費電力情報ｗ４がそれぞれ記憶されている。ここに、授受される情報とは、少なくとも撮影して得られた記録情報を含むものとする。記録情報などは記録媒体４１に記録される他、カード状若しくは短冊状の半導体メモリ手段（図示はしない）などにも保存することができる。
【００３０】
ところで、バッテリパック５０を一定消費電力で放電した場合において、放電時間に対する放電電流の積算量は、図３に示すように、放電時間に略比例している。ここで、ビデオカメラ装置１の使用可能な最低電圧（バッテリ終止電圧という）を定めると、このバッテリ終止電圧を除いた電圧が、実際にビデオカメラ装置１が使用できる電圧となる。
【００３１】
放電時間に対する完全放電までの放電電流積算量の残量は、図４〜図７に示すように、バッテリ終止を原点にとり、座標軸をひくと、縦軸がバッテリ終止までの放電電流積算残量となり、横軸がバッテリ終止までの残時間となる。したがって、バッテリ終止までの放電電流積算残量がわかれば、バッテリ残時間、つまり残りの使用可能時間を算出することができる。
【００３２】
図４はビューファインダ１３を用いた第１の表示モードにおける放電特性を示す図であり、図５は液晶表示パネル１６を用いた第２の表示モードの放電特性を示す図であり、そして図６はビューファインダ１３と液晶表示パネル１６とを用いた第３の表示モードにお ける放電特性である。また、通信回線を使用した第４の表示モードにおける放電特性は、その消費電力が第３の表示モードでの消費電力に近いので、図７のようにその放電特性は第３の表示モードでの放電特性に近似している。
【００３３】
このように、機器本体１０の消費電力は、ビューファインダ１３のみを使用したときよりも、液晶表示パネル１６のみを使用したときの方が大きくなり、液晶表示パネル１６を用いた場合よりビューファインダ１３と液晶表示パネル１６と共に使用した場合の方が大きくなる。したがって消費電力が大きくなるに連れて放電特性の傾き（電力依存係数）ｆ（ｗ）は急になり、放電電流積算残量に対する残り時間（使用可能時間）の割合が小さくなる。バッテリ終止時から完全放電までの放電電流積算残量に関しても、消費電力が大きい場合は、バッテリパック５０の内部インピーダンスの影響により変化する。
【００３４】
したがって、バッテリの使用可能時間は式（１）のように表すことができる。
Ｒ＝Ｑｄ×ｆ（ｗｉ）
＝｛Ｑ−ｇ（ｗｉ）｝×ｆ（ｗｉ）      ・・・・（１）
ここに、Ｒ・・・バッテリ終止までの時間（使用可能時間）
Ｑｄ・・・バッテリ終止までの放電電流積算量
ｗｉ・・・第１の表示モード（ｉ＝１）から第４の表示モード（ｉ＝
４）におけるビデオカメラ装置１の消費電力（固定値）
ｆ（ｗｉ）・・・第１の表示モード（ｉ＝１）から第４の表示モード（ｉ＝
４）における電力依存係数（固定値）
Ｑ・・・放電電流積算残量
ｇ（ｗｉ）・・・第１の表示モード（ｉ＝１）から第４の表示モード（ｉ＝
４）におけるバッテリ終止時残量（固定値）
【００３５】
なお、上述したようにｗ１は、ビューファインダ１３を用いた第１の表示モードのときの消費電力値であり、ｗ２は、液晶表示パネル１６のみを使用した第２の表示モードの消費電力値であり、ｗ３は、ビューファインダ１３と液晶表示パネル１６と共に使用した第３の表示モードのときの消費電力値であり、ｗ４は、通信回線を使用したときの第４の表示モードのときの消費電力値である。これら消費電力値ｗ１〜ｗ４は計算回路２３内のメモリ手段（図示はしない）に予め保存されている。
【００３６】
上述の式（１）に示すバッテリ終止までの残時間Ｒつまり、使用可能時間（記録可能時間）を算出するに際して、バッテリパック５０に内蔵されたバッテリセル５１の温度変化を考慮すると、より正確なバッテリの使用可能時間を算出できる。この場合には式（２）のようになる。
【００３７】
Ｒ＝Ｑｄ×ｆ（ｗｉ）×ｈ１（Ｔ）
＝｛Ｑ−ｇ（ｗｉ）×ｈ２（Ｔ）｝×ｆ（ｗｉ）×ｈ１（Ｔ）
・・・・・（２）
【００３８】
ここに、Ｔはバッテリセルの温度を、ｈ１（Ｔ）は電力依存係数ｆ（ｗｉ）の温度補正係数を、ｈ２（Ｔ）はバッテリ終止残量ｇ（ｗｉ）の温度補正係数を示す。電力依存係数ｆ（ｗｉ）も、バッテリ終止残量ｇ（ｗｉ）も共に温度Ｔによって変動するため、夫々に対して温度補正係数ｈ１（Ｔ），ｈ２（Ｔ）が必要になる。放電電流積算残量Ｑと、温度補正係数ｈ１（Ｔ），ｈ２（Ｔ）は、バッテリパック５０よりそれぞれ送信され、そしてこれら係数ｆ（ｗｉ）（ｉ＝１，２，３，４），ｇ（ｗｉ）（ｉ＝１，２，３，４）は、消費電力値ｗ１〜ｗ４と同様に、計算回路２３内に予め記憶（第１の記憶手段）されている。
【００３９】
また、計算回路２３はバッテリ使用可能時間算出手段の一例を構成する。計算回路２３で生成されたバッテリ使用可能時間Ｒが表示制御回路２４に供給されると、図２に示すように、表示制御回路２４では、バッテリ使用可能時間、つまりバッテリ残量信号に基づいて、ビューファインダ１３及び／又は液晶表示パネル１６に表示するバッテリ残量表示情報を生成する。
【００４０】
制御回路２６には、上述した押圧スイッチ（接眼センサ）１３ａのオンオフ情報が供給され、これに基づいて制御回路２６では、ビューファインダ１３の駆動回路２７への電力供給の切換を行う切換スイッチ３２のオンオフを制御する。
【００４１】
また、液晶表示パネル１６の開閉を検出する開閉検出スイッチ１７ａのオンオフ信号に基づいて、制御回路２６では液晶表示パネル１６の駆動回路２８への電力供給の切換を行う切換スイッチ３３のオンオフを制御する。
【００４２】
以上のようなマイコン２１を備える機器本体１０には、更に、ビューファインダ１３を駆動する駆動回路２７と、液晶表示パネル１６を駆動する駆動回路２８と、ビューファインダ１３の駆動回路２７と液晶表示パネル１６の駆動回路２８にそれぞれ電力を供給するＤＣ／ＤＣコンバータ２９を備える。
【００４３】
そして、駆動回路２７のオンオフの切換を行う切換スイッチ３２および駆動回路２８のオンオフの切換を行う切換スイッチ３３の切り替えが、制御回路２６の出力に基づいて制御される。
【００４４】
上述したようにこのビデオカメラ装置１はインターネットなどの通信回線を介して情報の授受を行えるようなネットワーク対応機種として構成されているものであるから、機器本体１０内には図２にも示すように送受信手段（無線による送受信手段）４２が設けられ、操作部３１からの指示に基づいて、マイコン２１を構成する制御回路２６が動作して、記録媒体４１に記録された情報が読み出され、読み出された情報が送受信手段４２を介してその内部アンテナ４３から、室内中継局に向けて送信される。これによって外出先から情報（ビデオカメラの映像など）を知人に転送できる。もちろん、通信ケーブルを使用すると共に、通常の公衆回線を利用してインターネットなどの通信回線に接続して情報の授受を行うようにも構成することもできる。両者を併用することもできる。
【００４５】
なお、液晶表示パネル１６がタッチパネル構成でもあるときにはこの液晶表示パネル１６が操作部３１を兼ねることになる。
【００４６】
さて、ビューファインダ１３及び／又は液晶表示パネル１６は、図８に示すようにその表示画面３５に、上述したマイコン２１を構成する表示制御回路２４で生成されたバッテリの使用可能時間が、バッテリ残量表示情報に基づいて複数の表示モードに応じて表示される。表示態様の一例を説明する。
【００４７】
表示画面３５には、それぞれの表示モードに対する残り使用可能時間が数字等で表示される。つまり、ビューファインダ１３のみを使用する第１の表示モードでの残り使用可能時間が表示される。図では「ＥＶＦ撮影時」として表記してある。また、液晶表示パネル１６のみを使用する第２の表示モードでの残り使用可能時間が表示される。図では「パネル（ＰＡＮＥＬ）撮影時」として表記してある。さらに、ビューファインダ１３と液晶表示パネル１６の双方を同時に使用する第３の表示モードでの残り使用可能時間が表示される。図では「双方使用時」として表記してある。
【００４８】
そして、これらの使用可能時間が棒グラフ状に、この例では異なった表示色で重複して 表示される。例えば、第１の表示モードは赤色で、第２の表示モードは青色で、第３の表示モードは黄色で、それぞれ表示される。図では、棒グラフには使用可能時間を示す数字も同時に表示した場合を示す。
【００４９】
さらにこの表示画面３５には、通信回線を利用して撮影された情報を転送する第４の表示モードの場合には、これを「ネットワーク接続時」として表示する。この第４の表示モードでも液晶表示パネル１６を使用して転送操作が行われるので、このときの残り使用可能時間が数字で表示される。これで、残りの使用可能時間を認識できるので、外出中の例えば宿泊先から最新の撮影情報を知人などに送信途中でバッテリ切れなどを起こすことがない。第４の表示モードでの使用可能時間を同じ棒グラフに重ねて表示することもできる。図８では、マゼンタＭｚで第４の表示モードにおける残りの使用可能時間を表示した場合である。
【００５０】
表示画面３５にはさらに、バッテリパック５０の満充電状態に対する現在のバッテリ残量の割合を示す情報が、バッテリ充電容量として、数字と棒グラフを用いて表示される。その表示は、使用可能時間に応じて４段階、或いはそれ以上、さらには無段階にレベルを表示することができる。
【００５１】
これら使用可能時間の表示は、原則的には全て同時に表示して一覧できるようにすることが原則であるが、表示画面３５の表示エリアの問題で、全てを表示できないときには、切り替え表示するか、あるいは少なくとも使用可能時間のみを同時に表示するかして、それぞれの表示モードでの使用可能時間を容易に認識できるようにする。
【００５２】
再び、図２を参照して説明する。バッテリパック５０内のマイコン５５を構成する情報生成部７１では、電圧検出回路５２より得られたバッテリセル５１の電圧検出出力、温度センサ５３の出力および充放電電流検出回路５４の出力に基づいて、バッテリセル５１の放電電流積算残量や、温度補正係数などがバッテリ情報として算出、生成される。そして、機器本体１０内のマイコン２１からの要求信号がバッファアンプ５７ａを介してマイコン５５に供給されると、通信回路７３が動作して、上述したバッテリ情報がバッファアンプ５７ｂおよび通信端子５７，１９を介して機器本体１０内のマイコン２１に供給される。
【００５３】
なお、図示はしないが、バッテリパック５０にはバッテリセル５１の使用可能な最大充放電サイクル回数のデータ（サイクルデータ）を記憶したメモリが備えられ、このサイクルデータと電圧検出回路５２からの検出電圧に基づいて、バッテリセル５１の充放電サイクル回数を計測し、バッテリセル５１の充放電サイクル回数が最大充放電サイクル回数に達したときに、電池寿命情報を機器本体１０のマイコン２１に送信する。機器本体１０のビューファインダ１３及び／又は液晶表示パネル１６にこの電池寿命情報が表示される。これで撮影者は簡単にバッテリパック５０の製品寿命を認識することができる。
【００５４】
以上のように構成されるビデオカメラ装置１は、バッテリパック５０が機器本体１０のバッテリ装着部１５に装着された状態で充電するか、装置の使用を開始するか、あるいはレディー状態（待機状態）にあるとき、ビューファインダ１３及び／又は液晶表示パネル１６にバッテリパック５０の残量表示（バッテリ使用可能時間表示）を行う。バッテリパック５０が機器本体１０に装着された状態でのバッテリ充電中の場合には、充電モードを検出することで、自動的にこの残量表示モードに遷移する。装置の使用を開始したとき、あるいはレディー状態にあるときには、例えば機器本体１０に設けられた残量表示用のモニタスイッチ（この例では、図示はしないが既存の動作切り替えスイッチと兼用）が操作されることで、バッテリの残量表示モードに遷移する。
【００５５】
図９はこのような残量表示処理例を示すもので、図９はマイコン２１での特にバッテリ充電中での残量表示処理例を示す。
【００５６】
バッテリチャージャーなどを使用したバッテリ充電モードが開始されると、まずバッテリの放電電流積算残量をバッテリパック５０側から取得し（ステップ８１）、第１の表示モードにおける残りの使用可能時間が計算回路２３で算出され、その内容が保存される（ステップ８２）。
【００５７】
因みに、第１の表示モードにおいては、上述した放電電流積算残量Ｑ、温度補正係数ｈ１（Ｔ）、ｈ２（Ｔ）および予め記憶されている電力依存係数ｆ（ｗ１）及びバッテリ終止時残量ｇ（ｗ１）を用いて、バッテリ終止までの使用可能時間つまり、ＥＶＲ撮影時の使用可能時間Ｒ１が算出される。
【００５８】
Ｒ１＝｛Ｑ−ｇ（ｗ１）×ｈ２（Ｔ）｝×ｆ（ｗ１）×ｈ１（Ｔ）
同様な処理が第２〜第４の表示モードに対して行われ、算出された各表示モードにおける残りの使用可能時間Ｒ１〜Ｒ４が保存される（ステップ８３〜８５）。全ての表示モードでの残りの使用可能時間Ｒ１〜Ｒ４を算出した後、バッテリ充電容量が算出され（ステップ８６）、その後表示部（ビューファインダ１３や液晶表示パネル１６など）にその全ての内容が図８のような形態で表示される（ステップ８７）。表示部（ビューファインダ１３又は液晶表示パネル１６）への表示サイクルは５００ｍsec程度である。充電終了あるいは充電の中止と共に残量表示モードが終了する（ステップ８８）。
【００５９】
撮影者は表示部の表示情報から、どの表示モードを使用したときにはどの程度の使用可能時間となるかを簡単に把握できる。また現在の充電容量で、どの表示モードでの撮影であれば、最後まで撮影できるかを明確に把握することができる。そのため急いでいるときには余分に充電する必要がなくなるため、充電時間を短縮できる。あるいは、全ての表示モードを切り替え使用したときでも、大凡の使用可能時間を推測できるので、非常に便利である。
【００６０】
各表示モードにおける残りの使用可能時間の表示は、上述したようにバッテリ充電中の他にも、実際にビデオカメラ装置１を使用しているとき、あるいは待機中のときの、何れのモードでも必要に応じて表示部に表示することができることは上述した通りである。
【００６１】
上述したようにマイコン２１を構成する計算回路２３において、ビューファインダ１３及び／又は液晶表示パネル１６の使用時の負荷電力である電力依存係数ｆ（ｗ１〜ｗ４）及びバッテリ終止時残量ｇ（ｗ１〜ｗ４）を予め記憶し、この電力依存係数ｆ（ｗ１〜ｗ４）及びバッテリ終止時残量ｇ（ｗ１〜ｗ４）を用いてバッテリ終止までの時間（残時間）（Ｒ）を算出していることから、仮に液晶表示パネル１６が利用者により連続的に開閉操作された場合であっても、ビューファインダ１３及び／又は液晶表示パネル１６に表示されるバッテリの残量表示がばらつくことを防止することができる。
【００６２】
なお、上述した実施の形態では、ビューファインダ１３のみを使用する第１の表示モードと、液晶表示パネル１６のみを使用する第２の表示モードと、ビューファインダ１３と液晶表示パネル１６の両方を使用する第３の表示モードと、そして情報の転送を液晶表示パネル１６を使用した第４の表示モードのそれぞれについて計算回路２３が固定値である第１〜第４の消費電力値ｗ１〜ｗ４を記憶してバッテリ残量を表示することについて説明したが、表示モードの数は、これに限られない。
【００６３】
上述した実施の形態では、表示部として電子的ビューファインダ１３と液晶表示パネル１６についてだけ説明したが、液晶表示パネル１６を閉じたときその表面筐体に設けられ た短冊状の表示部に、上述したバッテリ残量を表示することもできる。この場合には表示部自体の表示面積が少ないため、バッテリ残量表示は切り替え表示となる。
【００６４】
上述した実施の形態では、本開示の技術を通信機能を備えたビデオカメラ装置１に適用した場合について図面を参照して説明したが、本開示の技術は、これに限定されるものではなく、通信機能を備えていないビデオカメラ装置や、携帯型電話機、携帯型情報端末装置等の電子機器に適用することもできる。
【００６５】
なお、本開示の技術では、機器本体の使用状況が頻繁に変更され、消費電力が頻繁に変化した場合であっても、各状態に応じた消費電力を含めたバッテリ使用可能時間を算出できるので、バッテリの電力依存性を含めた状態でバッテリ残量情報を表示できるようになる。
【産業上の利用可能性】
【００６６】
本開示の技術は、携帯型ビデオカメラ装置、携帯型電話機、携帯型情報端末装置およびネットワークによる通信機能を備えたこれらの電子機器であって、その電源として用いられるバッテリパックの残量を表示することができる電子機器に適用して極めて好適である。
【符号の説明】
【００６７】
１・・・ビデオカメラ装置、１０・・・機器本体、１３・・・ビューファインダ、１６・・・液晶表示パネル、２１・・・マイコン、５０・・・バッテリパック、５１・・・バッテリセル、５５・・・マイコン
【図１】
2011133488.tif 000003
【図２】
2011133488.tif 000004
【図３】
2011133488.tif 000005
【図４】
2011133488.tif 000006
【図５】
2011133488.tif 000007
【図６】
2011133488.tif 000008
【図７】
2011133488.tif 000009
【図８】
2011133488.tif 000010
【図９】
2011133488.tif 000011